(57)【要約】【課題】  構造が簡単で安価に制作でき、操作も簡単で、木製開閉扉にも簡単に取り付けることができる閉止装置を提供する。【解決手段】  本考案の開閉扉の閉止装置は、摺動杆４０を摺動可能に挿入した第１保持部材１１と、前記摺動杆４０の受け溝１４を形成した第２保持部材を有している。摺動杆４０の外側端部には把手部材３０が設けられており、この把手部材３０と第１保持部材１１の対面部に施錠装置取付部材１６、１７が設けられている。この施錠装置取付部材１６、１７には、巾着錠等の施錠装置が取り付けられる。第１保持部材１１は一方の開閉扉に設けられ、第２保持部材は他方の開閉扉に設けられ、第１保持部材１１の摺動杆４０を第２保持部材１２の受け部に挿入して両扉を閉止する。【選択図】          図５
0003108753.tif 000002
【実用新案登録請求の範囲】
【請求項１】
開閉扉を閉状態に保持するための閉止装置であって、
摺動杆を摺動可能に挿入した第１保持部材と、前記摺動杆の受け部を構成した第２保持部材とを有し、
前記摺動杆の外側端部に把手部材を設け、該把手部材と前記第１保持部材の対面部に施錠装置取付部材を設けるとともに、
前記第１保持部材を一方の扉に設け、前記第２保持部材を他方の扉に設け、
前記第１保持部材の摺動杆を前記第２保持部材の受け部に挿入して両扉を閉止することを特徴とする開閉扉の閉止装置。
【請求項２】
前記第１保持部材又は第２保持部材の一方を扉に固定し、他方の保持部材を前記扉の開閉側に近接する固定枠部材に設け、前記第１保持部材の摺動杆を前記第２保持部材の受け部に挿入して前記扉を閉止することを特徴とする請求項１に記載の開閉扉の閉止装置。
【請求項３】
前記各施錠装置取付部材を、固定片部と舌片部を有する略Ｌ字状に構成し、前記固定片部を前記第１保持部材と前記把手部材の裏面部に夫々固定し、前記舌片部を前記把手部材と第１保持部材の対面部に位置させるとともに、該舌片部に鍵穴を形成したことを特徴とする請求項１又は請求項２に記載の開閉扉の閉止装置。
【請求項４】
前記第１保持部材の裏面部に前記摺動杆の摺動溝を形成し、前記第２保持部材の裏面部に前記摺動杆の受け部となる受け溝を形成するとともに、該受け溝の入口部にテーパを形成したことを特徴とする請求項１から請求項３の何れか１項に記載の開閉扉の閉止装置。
【請求項５】
前記摺動杆の中央部に長手方向に延びる係入孔を形成するとともに、前記第１保持部材の摺動溝に係止ピンを突設し、該係止ピンに前記摺動杆の係入孔を摺動可能に係入したことを特徴とする請求項４に記載の開閉扉の閉止装置。
【請求項６】
前記第１保持部材と前記第２保持部材の裏面部に固定ボルト挿入孔を形成し、該固定ボルト挿入孔と直交する方向にコマ部材挿入孔を形成するとともに、前記コマ部材挿入孔に、固定ボルト用ネジ穴が形成されたコマ部材を挿入し、前記開閉扉を貫通させた固定ボルトを、前記固定ボルト挿入孔を通して前記コマ部材のネジ穴に螺入することを特徴とする請求項１から請求項５に何れか１項に記載の開閉扉の閉止装置。
【請求項７】
前記第１保持部材の裏面部に固定された施錠装置取付部材にも固定ボルト挿入孔を形成し、前記開閉扉を貫通させた固定ボルトを、該施錠装置取付部材の固定ボルト挿入孔と前記第１保持部材裏面部の固定ボルト挿入孔を通して前記コマ部材のネジ穴に螺入することを特徴とする請求項６に記載の開閉扉の閉止装置。
【考案の詳細な説明】
【技術分野】
【０００１】
本考案は、収納庫等の開閉扉を閉状態に保持するための閉止装置に関するものである。
【背景技術】
【０００２】
日用品、園芸用品等を収納しておくための収納庫は、従来からスチール製、プラスチック製等のものが多種市販されている。これらの収納庫の開閉扉には、盗難防止のため、シリンダー方式やダイヤル方式の施錠装置が設けられている。また特許文献１に開示されているように、貴重品を収納する金庫等においては、バール等によって容易にこじ開けられないように、特殊な開閉構造を採用したものもある。しかしながら、これら従来の施錠装置は、構造が複雑で高価であり、鍵を紛失したり、暗証番号を忘れた場合などに施錠装置を交換しなければならないという問題がある。
【０００３】
一方、収納庫には用途によって、それほど厳重に施錠する必要がないものもあり、特に収納庫が木製である場合、従来の施錠装置を装着するためには特殊な加工技術が必要で、コスト的にも高価になるという問題がある。
【０００４】
【特許文献１】特許第３５５２０３９号公報
【考案の開示】
【考案が解決しようとする課題】
【０００５】
本考案は、上記した問題点を解決するために提案されたものであり、構造が簡単で安価に製作でき、操作も簡単で、木製の開閉扉にも容易に取り付けることができる閉止装置を提供することを目的とする。
【０００６】
また本考案は、盗難防止のための施錠装置を簡単に取り付けることができ、かつ該施錠装置の取付部が簡単に破壊できないようにした開閉装置を提供することである。さらには外観上の体裁も良好な閉止装置を提供することを目的とする。
【課題を解決するための手段】
【０００７】
本考案は、開閉扉を閉状態に保持するための閉止装置であって、
摺動杆を摺動可能に挿入した第１保持部材と、前記摺動杆の受け部を構成した第２保持部材とを有し、
前記摺動杆の外側端部に把手部材を設け、該把手部材と前記第１保持部材の対面部に施錠装置取付部材を設けるとともに、
前記第１保持部材を一方の扉に設け、前記第２保持部材を他方の扉に設け、
前記第１保持部材の摺動杆を前記第２保持部材の受け部に挿入して両扉を閉止することを特徴とする。
【０００８】
このような構成は、左右両開き式の開閉扉に適しており、第１保持部材の摺動杆を摺動させて第２保持部材の受け部に挿入すると、摺動杆が第１保持部材と第２保持部材に横架されるため、両開閉扉の開放が阻止される。また、施錠装置取付装置に施錠装置を取り付けると、摺動杆が第１保持部材に錠止され、摺動杆の摺動が規制され、開閉扉の開放することができなくなる。これにより盗難防止が図られる。
【０００９】
また本考案は、前記第１保持部材又は第２保持部材の一方を扉に固定し、他方の保持部材を前記扉の開閉側に近接する固定枠部材に設け、前記第１保持部材の摺動杆を前記第２保持部材の受け部に挿入して前記扉を閉止することを特徴とする。
【００１０】
このような構成は、片開き式の開閉扉に適しており、上述と同じように、第１保持部材の摺動杆を摺動させて第２保持部材の受け部に挿入すると、摺動杆が第１保持部材と第２保持部材に横架されるため、開閉扉の開放が阻止される。また、施錠装置取付装置に施錠装置を取り付けると、摺動杆が第１保持部材に錠止され、開閉扉を開放することができなくなる。
【００１１】
本考案の閉止装置は、とくに限定されるものではないが、貴重品を除く日用品、園芸用品、雑誌等を保管する収納庫、とりわけ木製の収納庫の開閉扉の閉止装置に適している。この場合、前記第１保持部材及び第２保持部材も木製とするのが外観的に収納庫と調和して好ましい。また、前記摺動杆は、第１保持部材と第２保持部材の間に横架させて両保持部材の開閉方向の動きを規制するものであり、金属製とするのが好ましい。
【００１２】
ここで使用される施錠装置は任意であり、幅着錠、シリンダー錠、ダイヤル錠等が使用され、把手部材と前記第１保持部材の対面部には、それぞれの方式に適した取付部材が設けられる。なお、前記第１保持部材と前記第２保持部材と前記把手部材は、同幅同厚の木材で構成することにより閉止装置全体が横長直方体の一体形状となり、統一性のある外観を呈することになる。第１保持部材と摺動杆の摺動機構や第２保持部材の受け部の構成は、特に限定されるものではなく、第１保持部材と第２保持部材に摺動杆の貫通孔を開口してその間を摺動させるようにしてもよいが、製作コスト等を考慮して、できるだけ簡単な構成とするのが好ましい。
【００１３】
本考案では、前記第１保持部材の裏面部に前記摺動杆の摺動溝を形成し、前記第２保持部材の裏面部に前記摺動杆の受け部となる受け溝を形成するとともに、該受け溝の入口部にテーパを形成したことを特徴とする。このようにすれば、摺動杆は第１保持部材と第２保持部の表面に露出することなく第１保持部材の裏面部摺動溝を摺動し、その先端部が第２保持部材の裏面部受け溝に挿入する。この場合、受け溝の入口部にはテーパが形成されているため、摺動杆の先端部が受け溝入口部に引っ掛かることなくスムーズに受け溝に挿入することになる。
【００１４】
また本考案は、前記各施錠装置取付部材を、固定片部と舌片部を有する略Ｌ字状に構成し、前記固定片部を前記第１保持部材と前記把手部材の裏面部に夫々固定し、前記舌片部を前記把手部材と第１保持部材の対面部に位置させるとともに、該舌片部に鍵穴を形成したことを特徴とする。このようにすると、一体構成された施錠取付部材を、把手部材と第１保持部材に簡易に取り付けることができる。
【００１５】
また本考案は、前記摺動杆の中央部に長手方向に延びる係入孔を形成するとともに、前記第１保持部材の摺動溝に係止ピンを突設し、該係止ピンに前記摺動杆の係入孔を摺動可能に係入したことを特徴とする。このようにすれば、摺動杆の左右方向の移動距離は、係入孔の長さと係止ピンの突設位置により規制され、摺動杆の第１保持部材からの抜け出しや、摺動杆先端部と第２保持部材の受け溝先端部との衝撃防止となる。
【００１６】
また本考案は、前記第１保持部材と前記第２保持部材の裏面部に固定ボルト挿入孔を形成し、該固定ボルト挿入孔と直交する方向にコマ部材挿入孔を形成するとともに、前記コマ部材挿入孔に、固定ボルト挿入用ネジ穴が形成されたコマ部材を挿入し、開閉扉を貫通させた固定ボルトを、前記固定ボルト挿入孔を通して前記コマ部材のネジ穴に螺入することを特徴とする。このようにすると、比較的太径の固定ボルトを使用して第１保持部材と第２保持部材を開閉扉に強固に締め付け固定することができ、各保持部材に締め付け割れ等生じることもなく、取り付け作業も簡単である。
【００１７】
また本考案は、前記第１保持部材の裏面部に固定された施錠装置取付部材にも固定ボルト挿入孔を形成し、開閉扉を貫通させた固定ボルトを、該施錠装置取付部材の固定ボルト挿入孔と前記第１保持部材裏面部の固定ボルト挿入孔を通して前記コマ部材のネジ穴に螺入することを特徴とする。このようにすると、施錠装置取付部材に固定ボルトが挿入されるため、施錠装置取付部材を第１保持部材から取り外すことができなくなり、施錠装置取付部の破壊による盗難防止が図られる。
【考案の効果】
【００１８】
上記した本考案の開閉扉の閉止装置によれば、構造が簡単で安価に製作でき、操作も簡単で、木製の開閉扉にも容易に取り付けることができる。
【００１９】
また本考案によれば、盗難防止のための施錠装置を簡単に取り付けることができ、かつ該施錠装置の取付部の破壊による盗難も防止することができる。さらには閉止装置全体の外観も体裁よく構成することができ、特に木製の開閉扉に適している。
【考案を実施するための最良の形態】
【００２０】
以下、本考案の実施形態を添付図面に従って説明する。図１は本考案の閉止装置を取り付けた収納庫１０の全体図である。該収納庫１０は、天板３と底板４と左右両側面板５（左則面板は図示せず）及び背面板（図示せず）を有しており、正面には左右開閉扉１、２が蝶番等により左右方向に開閉可能に設けられている。ここでは収納庫１０の全体が木材によって構成されている。
【００２１】
前記開閉扉１、２の一方の開閉扉１の開閉側端縁部の中央部には、本考案の閉止装置を構成する第１保持部１１が固定され、他方の開閉扉２の開閉側端縁部の中央部には、第２保持部１２が第１保持部材１１と同高位置に固定されている。これら第１保持部材１１と第２保持部材１２は、図２乃至図４に示すように、略直方体形状であり、同幅同厚の木材で造られている。
【００２２】
前記第１保持部材１１の裏面部には、図５に示すように、長さ方向に全長に後述する摺動杆４０の摺動溝１３が形成されており、該摺動溝１３の後端側には係止ピン１５が螺設されている。
【００２３】
前記第１保持部材１１の裏面側の下端縁部には、全体がＬ字状の金属製の施錠装置取付部材１６が固定されている。該施錠装置取付部材１６は、固定片部１６ａと舌片部１６ｃを有しており、固定片部１６ａが複数のネジ１６ｂで第１保持部材１１の裏面側に固定されている。また舌片部１６ｃは第１保持部材の後端面側に屈曲して形成されており、該舌片部１６ｃに鍵穴１６ｄが開口されている。さらに、第１保持部材１１の裏面側下端縁部には、図６に示すように、第１保持部材１１を開閉扉１に固定するための固定ボルト４５の複数の挿入孔１１ａが形成されるとともに、前記固定片部１６ａには、図５に示すように、該挿入孔１１ａと対応して複数の固定ボルト挿入孔１６ｅが形成されている。
【００２４】
また、前記第１保持部材１１の下面部には、図６に示すように、前記固定ボルト挿入孔１１ａと直交するような複数のコマ部材挿入孔１１ｂが形成されており、該コマ部材挿入孔１１ｂにそれぞれコマ部材２０が遊挿されている。該コマ部材２０は、外側面部にドライバ差込溝２０ａが形成されるとともに、上面部に、前記固定ボルト４５が螺入する固定ボルト用ネジ穴２０ｂが形成されている。
【００２５】
一方、前記第２保持部材１２の裏面部には、図５に示すように、前記摺動杆１３の先端部の受け部となる受け溝１４が形成され、該受け溝１４の入口側には、図７に示すように下向きにテーパ１４ａが形成されている。
【００２６】
また、第２保持部材１２の裏面側の下端縁部には、図８に示すように、第２保持部材１２を開閉扉２に固定するための固定ボルト４５の複数の挿入孔１２ａが形成されており、該保持部材１２の下面部には、前記第１保持部材１１と同じように、前記固定ボルト挿入孔１２ａと直交する複数のコマ部材挿入孔１２ｂが形成されている。そして、該コマ部材挿入孔１２ａに前述した構成を有するコマ部材２０が遊挿されている。
【００２７】
前記摺動杆４０は金属製であり、略中央部には所定長さの係入孔４０ａが形成されるとともに、外側端部に屈曲部４０ｂが形成されている。該外側端部には後述する把手部材３０が設けられ、摺動杆４０は、該把手部材３０を押して第１保持部材１１の後端部に当接させたとき（閉状態にしたとき）、先端部が前記第２保持部材１２の受け溝１４の奥側先端に達する長さを有している。
【００２８】
前記係入孔４０ａには、前記第１保持部材１１の係止ピン１５が係入され、摺動杆４０は係止ピン１５に規制されて第１保持部材１１の摺動溝１３を摺動する。即ち、前記係止ピン１５と係入孔４０ａは、把手部材３０を押して閉状態としたとき、係止ピン１５が係入孔４０ａの後端部で係止し、把手部材３０を引いて開状態としたとき、係止ピン１５が係止孔４１の先端部に係止することになる。
【００２９】
なお、前記第１保持部材１１と第２保持部材１２の裏面側の上端縁部には、これら保持部材１１、１２の上端縁側を、開閉扉に固定するための複数のネジ４６を螺入するネジ挿入孔１１ｃ及び１２ｃが形成されている。
【００３０】
前記把手部材３０は、略直方体形状で、前記第１保持部材１１及び第２保持部材１２と同幅同厚の木材で造られている。該把手部材３０は、前記摺動杆４０の挿入溝３０ａが形成されており、該挿入溝３０ａに摺動杆４０の外側端部を挿入し、複数のネジ３０ｂにより裏面部及び屈曲部４０ｂの位置で固定している。
【００３１】
前記把手部材３０の裏面側の下端縁部には、全体がＬ字状の金属製の施錠装置取付部材１７が固定されている。該施錠装置取付部材１７は、固定片部１７ａと舌片部１７ｃを有しており、固定片部１７ａが複数のネジ１７ｂにより把手部材３０の裏面側に固定されている。また、先端部が前端面側に屈曲して舌片部１７ｃが形成され、該舌片部１７ｃに鍵穴１７ｄが開口されている。該舌片部１７ｃと、前記第１保持部材１１に設けられた施錠装置取付部材１６の舌片部１６ｃは、互いに対面する位置に設けられ、把手部材３０を第１保持部材１１側に当接させたとき、鍵穴１６ｄ、１７ｄが一致するようになっている。
【００３２】
上述した第１保持部材１１と第２保持部材１２は、収納庫１０の開閉扉１、２の開閉側端縁部に固定される。即ち、図１に示すように、一方の開閉扉１の開閉側端縁部に第１保持部材１１が固定され、他方の開閉扉２に第２保持部材１２が固定される。この場合、第１保持部材１１から摺動杆４０が突出したとき、その先端部が第２保持部材１２の受け溝１４に挿入するようにするように、両保持部材１１、１２を同高位置に固定する。
【００３３】
これら第１保持部材１１と第２保持部材１２を開閉扉１、２に固定するに際しては、図５に示す複数の固定ボルト４５とネジ４６を開閉扉１、２の裏面側から挿入して固定する。なお、開閉扉１、２の所定位置には、固定ボルト４５とネジ４６の貫通孔があらかじめ開孔されている。
【００３４】
まず、第１保持部材１１を開閉扉１に固定する場合、各コマ部材挿入孔１１ａに、コマ部材２０を遊挿し、ドライバをドライバ差込溝２０ａに係入し、ネジ穴２０ｂが固定ボルト挿入孔１１ａと１６ｅが一致するように、回転調整する。その後、固定ボルト４５を開閉扉１の裏面側から挿入し、施錠取付部材１６の固定ボルト挿入孔１６ｅ及び第１保持部材１１の固定ボルト挿入孔１１ａを介してコマ部材ネジ穴２０ａに螺入する。さらにネジ４６を同じように開閉扉1の裏面側から挿入し、第１保持部材１１のネジ挿入孔１１ｃに螺入する。このようにして、複数の固定ボルト４５とネジ４６を締付けることにより、第１保持部材１１が開閉扉１に固定される。
【００３５】
第２保持部材１２を開閉扉２に固定する場合は、第１保持部材１１の摺動杆４０先端部が受け溝１４にスムーズに挿入されることを確認した後、上述と同じように、各コマ部材挿入孔１２ａに、コマ部材２０を遊挿し、ドライバをドライバ差込溝２０ａに係入し、ネジ穴２０ｂが固定ボルト挿入孔１２ａと一致するように、回転調整する。その後、固定ボルト４５を開閉扉１の裏面側から挿入し、第２保持部材１２の固定ボルト挿入孔１２ａを介してコマ部材ネジ穴２０ａに螺入する。さらにネジ４６を同じように開閉扉1の裏面側から挿入し、第１保持部材１１のネジ挿入孔１１ｃ、１１ｃに螺入する。このようにして、複数の固定ボルト４５とネジ４６を締付けることにより、第２保持部材１２が開閉扉２に固定される。
【００３６】
上述した閉止装置によるときは、開閉扉１、２を閉じた後、把手部材３０を第１保持部材１１方向に押し込むと、摺動杆４０が第１保持部材１１の摺動溝１３を摺動し、図２に示すように先端部が第１保持部材１１から突出し、図４に示すように、第２保持部材１２の受け溝１４に挿入する。このように摺動杆４０が第１保持部材１１と第２保持部材に横架されるため、開閉扉１、２の開放が阻止される。
【００３７】
また開閉扉１、２を開けるときは、把手部材３０を外側に引くと、摺動杆４０が第２保持部材１２の受け溝１４から外れ、摺動杆４０による規制が解除されることになり、この状態で開閉扉１、２を開けることができる。
【００３８】
盗難防止等のため施錠するときは、把手部材３０を第１保持部材１１方向に押して閉止状態にし、第１保持部材１１と把手部材３０における施錠装置取付部材１６、１７の鍵穴１６ｄ、１７ｄに、幅着錠等施錠装置のリング部を挿入し施錠する。これにより、摺動杆４０の摺動が規制され、開閉扉１、２を開放することができなくなる。
【００３９】
上述した実施態様は、開閉扉１、２が左右に開く方式に本考案の閉止装置を適用しているが、一枚の扉が開閉する片扉式にも適用することができる。この場合は、第１保持部材１１又は第２保持部材１２のいずれか一方を開閉扉の開閉側端縁部に固定し、他方の保持部材を、開閉扉の開閉側に近接する収納庫の適当な固定枠部材８に固定することができる。
【００４０】
その他、上述した実施態様に示した第１部保持部材１１、第２保持部材１２、把手部材３０、摺動杆４０、施錠装置取付部材１６、１７の形状等は例示的なものであり、本考案の要旨にしたがって任意に変更することができる。
【図面の簡単な説明】
【００４１】
【図１】本考案の開閉扉の閉止装置を適用した収納庫の全体図である。
【図２】本考案の第１保持部材の斜視図である。
【図３】本考案の第１保持部材の別方向から見た斜視図。
【図４】本考案の第２保持部材の斜視図である。
【図５】本考案の開閉扉の閉止装置全体を裏面側から見た斜視図である。
【図６】本考案の第１保持部材の幅方向断面図である。
【図７】本考案の第２保持部材の受け溝の長さ方向断面図である。
【図８】本考案の第２保持部材の幅方向断面図である。
【符号の説明】
【００４２】
１は開閉扉
２は開閉扉
８は固定枠部材
１０は収納庫
１１は第１保持部材
１１ａは固定ボルト挿入孔
１１ｂはコマ部材挿入孔
１２は第２保持部材
１２ａは固定ボルト挿入孔
１２ｂはコマ部材挿入孔
１３は摺動溝
１４は受け溝
１５は係止ピン
１６は施錠装置取付部材
１７は施錠装置取付装置
２０はコマ部材
２０ｂは固定ボルト用ネジ穴
３０は把手部材
４０は摺動杆
４０ａは係入孔
４５は固定ボルト
【図１】
0003108753.tif 000003
【図２】
0003108753.tif 000004
【図３】
0003108753.tif 000005
【図４】
0003108753.tif 000006
【図５】
0003108753.tif 000007
【図６】
0003108753.tif 000008
【図７】
0003108753.tif 000009
【図８】
0003108753.tif 000010